(57)【特許請求の範囲】
【請求項１】
下方から外気を取り込む送風機と、加熱手段と、複数の平板状の吸着フィルタを面を対向させて並べて送風路により順次連結し、前記吸着フィルタの並びの上下、左右にそれぞれ風路切り替え弁を設け、吸着時に左右の風路切り替え弁を開放し吸着フィルタの面に沿って送風した後外方へ放出し、再生時には上下の風路切り替え弁を開放して吸着フィルタの面に向けて加熱手段により外気を加熱して送風し熱交換器を通過させるとともに、前記吸着フィルタをそれぞれ一端を当接して波形に並べた除湿装置。
【発明の詳細な説明】
【０００１】
【産業上の利用分野】
本発明は一般家庭用に使用する除湿装置に関するものであり、例えば衣類乾燥機等除湿機能を必要とする機器に装着するものである。
【０００２】
【従来の技術】
近年、水分吸着性吸着剤を用いた除湿装置がある。以下に従来の吸着剤を用いた除湿装置について説明する。
【０００３】
図５において、１は粒状吸着剤を挟み込んだ吸着フィルタ、２は再生ヒータ、３は第１送風機、４は送風路、５は風路切り替え弁、６は熱交換器、７は第２送風機、８は冷却空気用風路である。下から順に第１送風機３、再生ヒータ２、吸着フィルタ１、風路切り替え弁５と送風路４で熱交換器６の除湿用空気吸い込み口に接続されており、第２送風機７が冷却空気用風路８で熱交換器６の冷却空気吸い込み口に接続されている。９は熱交換器６で発生した結露水を排出する水抜き穴である。
【０００４】
以上のように構成された除湿装置について、以下その動作を説明する。この種の除湿装置では吸着フィルタ１の吸着容量に限度があるため、除湿運転中に、吸着フィルタ１による吸着工程と再生ヒータ２で高温加熱された空気による吸着フィルタ１の再生工程とのサイクル運転を行っている。吸着工程では、風路切り替え弁５がａ側にあり、第１送風機３が作動して室内空気を吸着フィルタ１に送風している。室内空気は吸着フィルタ１で湿気を吸い取られ、乾いた空気となって室内に出ていく。再生工程では、風路切り替え弁５がｂ側にあり再生ヒータ２、第１、２送風機３、７が作動している。第１送風機３で吸い込まれた室内空気は再生ヒータ２で加熱されて吸着フィルタ１を加熱し、吸着フィルタ１が放出する湿気を運び出して熱交換器６の除湿用空気吸い込み口に送られる。第２送風機７で送られた室内空気は熱交換器６の冷却用空気吸い込み口に送られ、ここで熱交換されて室内に放出される。吸着フィルタ１から湿気を取った除湿用空気は露点以下に冷却されて、結露する。結露水は水抜き穴９から排出される。
【０００５】
【発明が解決しようとする課題】
除湿量を多くするため、吸着工程においては、短時間で多くの湿気が吸着フィルタに吸着されるよう送風量を多くすることが望ましい。一方、再生工程においては、吸着剤の特性上、再生するには吸着フィルタの温度を所定温度以上に上げる必要があるが、一般家庭では消費電力の関係上、再生ヒータで所望の温度まで空気を加熱するには送風量に限度がある。従って、従来の除湿装置では、吸着と再生では空気量が異なる。
【０００６】
従来の吸着フィルタの構成では粒状吸着剤が詰め込まれているため、吸着時の所定の送風量では圧力損失が大きく、大能力の送風機が必要である。また、再生時には、再生ヒータの加熱能力に合わせて送風量を絞る手段が必要であった。
【０００７】
本発明は上記従来の課題を解決するもので、吸着時と再生時のフィルタの圧力損失を変え、各工程での必要送風量を容易に提供することを目的としている。
【０００８】
【課題を解決するための手段】
本発明は、上記の目的を達成するために、下方から外気を取り込む送風機と、加熱手段と、複数の平板状の吸着フィルタを面を対向させて並べて送風路により順次連結し、前記吸着フィルタの並びの上下、左右にそれぞれ風路切り替え弁を設け、吸着時に左右の風路切り替え弁を開放し吸着フィルタの面に沿って送風した後外方へ放出し、再生時には上下の風路切り替え弁を開放して吸着フィルタの面に向けて加熱手段により外気を加熱して送風し熱交換器を通過させるとともに、前記吸着フィルタをそれぞれ一端を当接して波形に並べたものである。
【０００９】
【作用】
本発明の上記の手段により、吸着時には圧力損失が少なく、再生時には圧力損失が多くなり、吸着時と再生時のフィルタの圧力損失を変え、各工程での必要送風量を容易に提供することができる。また、吸着時には吸着フィルタに沿って、再生時には吸着フィルタに向かって室内空気を送風するよう送風機と風路を配設しているので、吸着時と再生時のフィルタの圧力損失がかわり、各工程での必要送風量を容易に提供することができ、吸着時のフィルタ面積も大きくなるのでより短時間で多くの湿気を吸着する吸着フィルタを提供することができる。
【００１０】
【実施例】
以下本発明の第１の参考例について図面を参照しながら説明する。図１は除湿装置の構成図である。図１において、従来例の構成と同じ部分には同じ符号を用いて詳しい説明は省略する。１０は金属メッシュ板で底と蓋を構成した容器にシリカゲルやゼオライト等の粒状の吸着剤を敷き詰め、前記容器の蓋と前記粒状吸着剤の上部に空間を設けた吸着フィルタである。
【００１１】
以上のように構成された除湿装置の動作について説明する。吸着・再生時に粒状吸着剤が、底から吹き上がってきた風で吹き飛ばされ落下するという動作を繰り返し常に動いているため、吸着剤間で絶えず隙間ができ、空気と吸着剤との良好な接触状態を保ちながらも空気の通過が良くなる。
【００１２】
次に第２の参考例について、図面を参照しながら説明する。図２において、前記吸着フィルタ１０をバネ性部材１１で送風路４に振動可能な状態で取り付けている。
【００１３】
次にその動作について説明する。吸着フィルタ１０をバネ性部材１１で送風路４に振動可能な状態で取り付けているので、風で容器が振動して吸着剤自体が移動して均一に分布するために前記第１の参考例で吸着剤が風で吹き飛ばされる箇所が固定化されず、吸着フィルタ１０に流れる風を均一にすることができる。
【００１４】
次に第３の参考例について、図３を用いて説明する。図３において、１２は金属メッシュ板で底と蓋を構成した容器にシリカゲルやゼオライト等の粒状の吸着剤を敷き詰めた吸着フィルタである。前記２枚の吸着フィルタ１２を上下平行に並べ、左右に風路切り替え弁１３、１４と上下に風路切り替え弁１５、１６を設ける。
【００１５】
次にその動作を説明する。吸着時には、風路切り替え弁１３、１４、１５、１６をａ側にし、第２送風機７を作動させる。第２送風機７によって吸着フィルタ１２に対して横方向から平行に室内空気が流れる。再生時には風路切り替え弁１３、１４、１５、１６をｂ側にし、第１、第２送風機３、７を作動させる。第１送風機３によって吸着フィルタ１２に対して下方向から垂直に室内空気が流れ、熱交換器６に送られ、第２送風機７によって熱交換器６に室内空気が流れる。従って、吸着時には２枚の吸着フィルタ１２と平行に空気が流れるため圧力損失が少なく、再生時には２枚の吸着フィルタ１２に垂直に空気が流れるため圧力損失が多くなる。本参考例では風路を切り替えて吸着フィルタを流れる空気の向きを変えているが、吸着フィルタ自体を回転させても同様の効果が得られる。
【００１６】
次に本発明の実施例について、図４を用いて説明する。図４において、２枚の吸着フィルタ１３をＶ字形（波形）に配設する。
【００１７】
次にその動作を説明する。吸着時には風路切り替え弁１３、１４、１５、１６をａ側にし、第２送風機７を作動させる。第２送風機７によって前記２枚の吸着フィルタ１７それぞれに対して並列に空気が当たるため通過面積が２枚分になり、圧力損失が少なくなる。再生時には風路切り替え弁１３、１４、１５、１６をｂ側にし、第１、第２送風機３、７を作動させる。第１送風機３によって吸着フィルタ１７に対して下方向から垂直に室内空気が流れ、熱交換器６に送られ、第２送風機７によって熱交換器６に室内空気が流れる。従って、再生時にはＶ字で重なった２枚の吸着フィルタに垂直に空気が流れるため圧力損失が多くなる。本実施例では風路を切り替えて吸着フィルタを流れる空気の向きを変えているが、吸着フィルタ自体を回転させても同様の効果が得られる。
【００１８】
【発明の効果】
以上のように本発明によれば、下方から外気を取り込む送風機と、加熱手段と、複数の平板状の吸着フィルタを面を対向させて並べて送風路により順次連結し、前記吸着フィルタの並びの上下、左右にそれぞれ風路切り替え弁を設け、吸着時に左右の風路切り替え弁を開放し吸着フィルタの面に沿って送風した後外方へ放出し、再生時には上下の風路切り替え弁を開放して吸着フィルタの面に向けて加熱手段により外気を加熱して送風し熱交換器を通過させるとともに、前記吸着フィルタをそれぞれ一端を当接して波形に並べたから、吸着時と再生時のフィルタの圧力損失を変え、各工程での必要送風量を容易に実現することができる。
【図面の簡単な説明】
【図１】  本発明の第１の参考例の除湿装置を示す構成図
【図２】  本発明の第２の参考例の除湿装置を示す構成図
【図３】  本発明の第３の参考例の除湿装置を示す構成図
【図４】  本発明の実施例の除湿装置を示す構成図
【図５】  従来の除湿装置を示す構成図
【符号の説明】
１０  吸着フィルタ
１１  バネ性部材
１２  吸着フィルタ
１３  風路切り替え弁
１４  風路切り替え弁
１５  風路切り替え弁
１６  風路切り替え弁
１７  波形吸着フィルタ
【図１】
0003777626.tif 000002
【図２】
0003777626.tif 000003
【図３】
0003777626.tif 000004
【図４】
0003777626.tif 000005
【図５】
0003777626.tif 000006